(57)【要約】【課題】アナログ受信機を利用して地上波デジタル放送と地上波アナログ放送を受信可能とし、いずれの信号を受信するかを簡単な操作で選択できるテレビジョン信号受信装置を提供する。【解決手段】本発明は、アナログ及びデジタル放送信号を含むテレビジョン信号からデジタル放送信号を受信して復調するデジタル放送受信部と、このデジタル放送受信部で復調した信号をアナログ放送方式の信号に変換するエンコーダと、このエンコーダからの変換アナログ信号をアナログ放送の空きチャンネル周波数の信号に変換するＲＦ変調回路と、ＲＦ変調回路の出力に含まれる下側波帯の不要信号を除去する側波帯フィルターと、側波帯除去フィルターの出力信号を前記アナログテレビジョン信号に重畳して出力するミキサとを具備し、アナログ及びデジタルの両放送信号を受信可能としたものである。【選択図】　　図１
2004032231.tif 000002
【特許請求の範囲】
【請求項１】
アンテナにて受信したアナログ放送及びデジタル放送によるテレビジョン信号が入力される入力端子と、
前記入力端子に入力されたテレビジョン信号を第１，第２のテレビジョン信号に分配する分配器と、
前記分配器からの前記第２のテレビジョン信号に含まれるデジタル放送信号を受信して復調するデジタル放送受信部と、
前記デジタル放送受信部で復調した信号をアナログ放送方式の信号に変換するエンコーダと、
前記エンコーダからの変換アナログ信号を前記アナログ放送の空きチャンネル周波数の信号に変換するＲＦ変調回路と、
前記ＲＦ変調回路の出力に含まれる下側波帯の不要信号を除去する側波帯除去フィルターと、
前記側波帯除去フィルターの出力信号を前記第１のテレビジョン信号に重畳して出力するミキサとを具備したことを特徴とするテレビジョン信号受信装置。
【請求項２】
前記ＲＦ変調回路は、複数の搬送波の内、選択された周波数の搬送波を発生する搬送波発生回路を有し、前記搬送波を前記エンコーダからの変換アナログ信号で変調するとともに、前記側波帯除去フィルターの信号通過特性を前記搬送波の選択に合わせて切り換えるようにしたことを特徴とする請求項１記載のテレビジョン信号受信装置。
【請求項３】
前記側波帯除去フィルターはＳＡＷフィルターにて成ることを特徴とする請求項２に記載のテレビジョン信号受信装置。
【請求項４】
前記エンコーダは、ＮＴＳＣエンコーダであることを特徴とする請求項１記載のテレビジョン信号受信装置。
【請求項５】
前記エンコーダからの出力信号を出力する第１の外部出力端子を有したことを特徴とする請求項１記載のテレビジョン信号受信装置。
【請求項６】
前記デジタル放送受信部からの復調信号を出力する第２の外部出力端子を有したことを特徴とする請求項１記載のテレビジョン信号受信装置。
【請求項７】
アンテナにて受信したアナログ放送及びデジタル放送によるテレビジョン信号が入力される入力端子と、
前記入力端子に入力されたテレビジョン信号を第１，第２のテレビジョン信号に分配する分配器と、
前記分配器からの前記第２のテレビジョン信号に含まれるデジタル放送信号を受信して復調するデジタル放送受信部と、
前記デジタル放送受信部で復調した信号をアナログ放送方式の信号に変換するエンコーダと、
前記エンコーダからの変換アナログ信号を前記アナログ放送の空きチャンネル周波数の信号に変換するＲＦ変調回路と、
前記ＲＦ変調回路の出力に含まれる下側波帯の不要信号を除去する側波帯除去フィルターと、
前記側波帯除去フィルターの出力信号を前記第１のテレビジョン信号に重畳して出力するミキサと、
前記エンコーダからの出力信号を出力する第１の外部出力端子と、
前記デジタル放送受信部からの復調信号を出力する第２の外部出力端子とを具備したことを特徴とするセットトップボックス型テレビジョン信号受信装置。
【発明の詳細な説明】
【０００１】
【発明の属する技術分野】
本発明は、テレビジョン信号受信装置に関し、地上波アナログ放送の受信と、地上波デジタル放送の受信を可能とするものである。
【０００２】
【従来の技術】
従来、テレビジョン放送信号としてはアナログ放送方式（例えばＮＴＳＣ方式）が主流であったが、最近ではデジタル放送が登場している。またデジタル放送として地上波デジタル放送の開始が予定されている。
【０００３】
この場合、地上波放送のテレビジョン信号は、ＮＴＳＣアナログ信号（ＶＨＦ：９０〜２３０ＭＨｚとＵＨＦ：４７０〜７７０ＭＨｚ）及びデジタルのテレビジョン放送信号（ＵＨＦ帯の４７０〜７７０ＭＨｚ）が混在して送信され、最終的にはＮＴＳＣアナログ放送はデジタル方式にてサイマル放送される予定であるが、異種放送業者、地域性、ＵＨＦチャンネルの一部再配置、切換経費等を勘案すると、一斉にデジタル放送へ切り換えることは困難で、当面はアナログ放送とデジタル放送を併用して受信する必要がある。
【０００４】
このため、アナログ放送とデジタル放送の両方を受信しようとすると、ＳＴＢ（セットトップボックス）タイプの受信機が必要となる。即ち、上記ＳＴＢは、アンテナからの信号を受信する入力端子と、複数（例えば第１，第２，第３）の出力端子を備え、入力端子に入力されたテレビジョン信号は、分配器を介してアナログ放送受信用回路及びデジタル放送受信用回路にそれぞれ供給され、アナログ放送受信用回路からの出力はそのまま第１の出力端子に出力し、デジタル放送受信用回路で受信したデジタル放送信号は第２の出力端子に出力し、さらに受信したデジタル放送信号はＮＴＳＣエンコーダによりアナログ信号に変換されて第３の出力端子に出力するようにし、第１，第３の出力端子を従来のアナログ方式のテレビジョン受像機に接続することで、アナログ放送及びデジタル放送の両方が受信可能となる。また、第２の出力端子をデジタル方式のテレビジョン受像機等に接続することで、デジタル放送を受信することができる。
【０００５】
しかしながら、このようなＳＴＢタイプの受信機をアナログ方式のテレビジョン受像機に接続した場合、地上波アナログ放送は第１の端子からそのままチューナに入力されるが、アナログ信号に変換された地上波デジタル放送は、第３の端子からテレビジョン受像機の外部入力端子に入力されるため、地上波アナログチャンネルは通常のＲＦチャンネル受信モードで受信可能であるが、地上波デジタル放送を受信する場合は外部入力モードに切り換える必要があり、いずれの放送信号を受信するかでモードを切り換える煩わしさがある。
【０００６】
なお、アナログ放送とデジタル放送の両者を受信可能にしたテレビジョン受像機としては、例えば特開平１１−２６１９０６号公報に記載された例がある。この公報に記載されている例では、アナログ放送受信部とデジタル放送受信部を備え、デジタル放送受信部からの出力信号はＮＴＳＣ信号に変換して出力し、アナログ放送受信部からの信号又はＮＴＳＣ信号に変換された信号のいずれか一方を選択して映像・音声信号をディスプレイ及びスピーカに供給するものである。
【０００７】
この例も上述したように地上波デジタル放送を受信する場合は外部入力モードに切り換える必要があり、いずれの放送信号を受信するかでモードを切り換える煩わしさは解消されない。
【０００８】
【発明が解決しようとする課題】
以上述べたように、従来のＳＴＢ或いは上記公報に記載のいずれの装置であっても、地上波デジタル放送を受信する場合は外部入力モードに切り換える必要があり、操作が煩雑となり慣れないユーザにとっては不便を来たしている。
【０００９】
本発明は、従来の地上波アナログ受信機において、通常のチャンネル切り換えのみで地上波デジタル放送と地上波アナログ放送を受信可能とするテレビジョン信号受信装置を提供することを目的とする。
【００１０】
【課題を解決するための手段】
請求項１記載の発明は、アンテナにて受信したアナログ放送及びデジタル放送によるテレビジョン信号が入力される入力端子と、
前記入力端子に入力されたテレビジョン信号を第１，第２のテレビジョン信号に分配する分配器と、
前記分配器からの前記第２のテレビジョン信号に含まれるデジタル放送信号を受信して復調するデジタル放送受信部と、
前記デジタル放送受信部で復調した信号をアナログ放送方式の信号に変換するエンコーダと、
前記エンコーダからの変換アナログ信号を前記アナログ放送の空きチャンネル周波数の信号に変換するＲＦ変調回路と、
前記ＲＦ変調回路の出力に含まれる下側波帯の不要信号を除去する側波帯除去フィルターと、
前記側波帯除去フィルターの出力信号を前記第１のテレビジョン信号に重畳して出力するミキサとを具備したことを特徴とするテレビジョン信号受信装置である。
【００１１】
また請求項７記載の発明は、さらに前記エンコーダからの出力信号を出力する第１の外部出力端子と、前記デジタル放送受信部からの復調信号を出力する第２の外部出力端子とを具備したセットトップボックス型テレビジョン信号受信装置である。
【００１２】
上記本発明によれば、アナログ放送とデジタル放送が混在する地上波放送を受信する場合、アナログチューナでチャンネルを切り換えるだけで地上波デジタル放送と地上波アナログ放送を受信することができる。
【００１３】
【発明の実施の形態】
以下、本発明のテレビジョン信号受信装置の一実施形態について、図を参照しながら説明する。図１は本発明のテレビジョン信号受信装置のブロック図であり、１１は地上波アンテナであり、アナログ放送によるテレビジョン信号と、デジタル放送によるテレビジョン信号とを受信できるものである。
【００１４】
図１の例では、アナログ放送信号がＮＴＳＣ方式の場合を想定すると、ＮＴＳＣアナログ放送信号（ＶＨＦ：９０〜２３０ＭＨｚとＵＨＦ：４７０〜７７０ＭＨｚ）及び地上波デジタル放送信号（ＵＨＦ帯の４７０〜７７０ＭＨｚ）がアンテナ１１に混在して送られてくる。
【００１５】
アンテナ１１で受信されたテレビジョン信号は、入力端子１２に入力され、分配器１３により、分配され、アナログ放送受信部２０を構成するアナログチューナ２１と、デジタル放送受信部３０を構成するデジタルチューナ３１にそれぞれ供給される。なお、アナログチューナ２１の前段にはミキサ６３が設けられているが、このミキサ６３については後述する。
【００１６】
前記アナログチューナ２１の出力は、アナログ復調回路２２に供給され、チューナ１１で選択されたチャンネルの信号を復調し、ビデオ信号Ｖ１及び音声信号Ａ１を出力する。ビデオ信号Ｖ１はディスプレイ装置４２に供給されて映像が表示され、音声信号Ａ１はスピーカ４３に供給され音声が出力される。そして上記アナログチューナ２１、アナログ復調回路２２、ディスプレイ装置４２及びスピーカ４３は、テレビジョン受信機７０の主要部を構成するものである。
【００１７】
また前記チューナ２１として、例えばシンセサイザ方式のチューナが用いられ、選局制御を行うためのＰＬＬ回路を有しており、ＰＬＬループ内の可変分周回路の分周比データ（選局データ）を前記テレビジョン受信機内のマイクロコンピュータ（図示せず）から供給することによりチューナ２１の選局動作を制御するようにしている。
【００１８】
一方、デジタル放送受信部３０のデジタルチューナ３１も、アナログチューナ２１と同様に、例えばシンセサイザ方式のチューナが用いられ、選局制御を行うためのＰＬＬ回路を有しており、ＰＬＬループ内の可変分周回路の分周比データ（選局データ）をマイクロコンピュータ４０から供給することでチューナ３１の選局動作を制御するようにしている。またマイクロコンピュータ４０は、各チャンネルに対応するＰＬＬデータを記憶可能なメモリを備える。
【００１９】
このデジタルチューナ３１の出力は、デジタル復調回路に供給される。デジタル復調回路は、フロントエンド部３２と、ＭＰＥＧデコーダ３３とからなる。フロントエンド部３２は、復調器、エラー訂正デコーダ等を含み、このフロントエンド部３２にてデジタル復調及びエラー訂正処理等を行い、ＭＰＥＧデコーダ３３に供給する。
【００２０】
ＭＰＥＧデコーダ３３では、ＭＰＥＧ圧縮されているビデオ信号および音声信号の伸長デコード処理を行い、さらにＤ／Ａ変換してアナログのビデオ信号及び音声信号を出力端子３４に出力する。また、上記ＭＰＥＧデコーダ３３からのアナログビデオ信号及び音声信号は、ＮＴＳＣエンコーダ５０にも供給される。
【００２１】
ＮＴＳＣエンコーダ５０は、デジタル放送受信部３０で受信した信号をＮＴＳＣ方式の信号に変換するものであり、ここでＮＴＳＣ方式に変換された信号は、次段のチャンネル変換部６０に供給される。またＮＴＳＣエンコーダ５０はＮＴＳＣのコンポジット信号を出力する出力端子５１を備えている。
【００２２】
前記チャンネル変換部６０は、ＲＦ変調回路６１、側波帯除去フィルター６２、ミキサ６３から成り、ＮＴＳＣエンコーダ５０からの出力信号を地上波アナログ放送の空きチャンネル（例えば関東地区では２チャンネル、関西地区では１チャンネル）に挿入するためのものである。またＲＦ変調回路６１は、所定の搬送波を発生するための発振回路を内蔵し、この発振回路にはクリスタル共振子６４が接続されている。
【００２３】
なお、マイクロコンピュータ４０は、チューナ３１の選局制御の他に、デジタル放送受信部３０、ＮＴＳＣエンコーダ５０及びチャンネル変換部６０の各部の制御を行う制御回路を構成するもので、リモコン４１から入力されるチャンネル選択指令等を受けて各回路の動作を制御する。
【００２４】
地上波アンテナ入力信号は、図２に示すように従来のＮＴＳＣアナログ信号（ＶＨＦ：９０〜２３０ＭＨｚとＵＨＦ：４７０〜７７０ＭＨｚ）と、デジタル放送信号（ＵＨＦ帯の４７０〜７７０ＭＨｚ）が混在して送られてくるため、地上波アンテナ入力への放送波配列を示すと、図２のようにあらわすことができる。
【００２５】
即ち、図２において、Ａｃｈ１、Ａｃｈ３、Ａｃｈ３３は、アナログ放送の第１チャンネル、第３チャンネル、第３３チャンネルの映像キャリアＰと音声キャリアＳを示し、Ｄｃｈ３１は、ＯＦＤＭ　方式で送られてくる地上波デジタル放送第３１チャンネルの信号配列を示している。
【００２６】
本発明では、上記地上波デジタル放送第３１チャンネル（Ｄｃｈ３１）の信号を図３に示すように、地上波アナログ放送の空きチャンネル、例えば第２チャンネル（ＤＡｃｈ２）の信号に変換してアナログチューナ２１でそれを受信できるようにしたものである。
【００２７】
以下、チャンネル変換部６０を中心に本発明の動作について説明する。アンテナ１１で受信したテレビジョン信号は、分配器１３によって２分配され、一方はミキサ６３を介してアナログチューナ２１に供給される。また分配された他方の信号は、デジタルチューナ３１に供給される。デジタルチューナ３１でデジタル放送第３１チャンネル（Ｄｃｈ３１）が選局されると、フロントエンド部３２及びＭＰＥＧデコーダ３３で復調及びアナログ信号への変換が行われ、アナログ映像信号及びアナログ音声信号が出力される。
【００２８】
この出力信号は、出力端子３４（一般にＤ端子と称す）から出力されるとともに、ＮＴＳＣエンコーダ５０に供給され、エンコーダ５０からはＮＴＳＣのコンポジット映像出力とベースバンド音声出力が得られる。またエンコーダ５０には出力端子５１が設けられており、この端子５１の出力を利用してＶＴＲ等への録画を行うことができる。
【００２９】
上記コンポジット映像出力とベースバンド音声信号は、ＲＦ変調回路６１により所定の搬送波で変調されることにより、例えばアナログ放送の第２チャンネルの信号に変換される。第２チャンネルの場合、映像キャリアは９７．２５ＭＨｚであり、音声キャリアは１０１．７５ＭＨｚであり、ＲＦ変調回路６１により、映像信号は目的の変換チャンネルの映像キャリアＰ（９７．２５ＭＨｚ）にＡＭ変調される。また音声４．５ＭＨｚのＦＭ変調成分は、図４に示すように映像キャリアＰを中心に、Ｐ−４．５ＭＨｚ及びＰ＋４．５ＭＨｚの両側波帯の出力が得られる。
【００３０】
変換チャンネルを２チャンネルとしたとき、Ｐ＝９７．２５ＭＨｚ、Ｐ−４．５＝９２．７５ＭＨｚ、Ｐ＋４．５＝１０１．７５ＭＨｚとなる。これをそのまま放送波に重畳すると下側隣接チャンネル（この場合１チャンネル）の映像帯域内にＰ−４．５＝９２．７５ＭＨｚ成分及び映像の一部が影響して混信を与えてしまう。
【００３１】
そこで本発明では、図５の特性を持つ側波帯除去フィルター６２でＰ−４．５＝９２．７５ＭＨｚを中心とする周波数成分を減衰させ、１０１．７５ＭＨｚの音声キャリアＳのみを取出し、図６のように第２チャンネルの信号に変換したＮＴＳＣアナログＲＦ信号を得るようにしている。この変換したアナログＲＦ信号は、ミキサ６３により地上波アンテナ入力と混合され、図３で示したように、２チャンネルの信号ＤＡｃｈ２として挿入されることになる。
【００３２】
したがって、アナログチューナ２１で第２チャンネル（又は第１チャンネル）を選局するように操作するだけでデジタル放送を受信することができ、ユーザは従来のように外部入力モードへ切り換える必要がなくなり、操作性が向上する。
【００３３】
なお、上記説明においては、第２チャンネルの信号に変換する例について述べたが、関西地区では１チャンネルの信号（映像キャリア９１．２５ＭＨｚ、音声キャリア９５．７５ＭＨｚ）へ変換する必要がある。
【００３４】
あるいは、図７に示すようなＲＦ変調回路６１を使用しても良い。即ち、図７においてＲＦ変調回路６１は、第１又は第２の周波数で発振可能な搬送波発生回路６１１を設け、マイクロコンピュータ４０からの指示によりいずれかの周波数の搬送波を発生して変調器６１２に供給するようにし、この変調器６１２にＮＴＳＣエンコーダ５０からのコンポジット映像信号とベースバンンドの音声信号を供給し、前記搬送波で前記映像信号と音声信号を変調し、第１チャンネル又は第２チャンネルの信号に変換する。
【００３５】
またこの場合、側波帯除去フィルターも図７に示すように、マイクロコンピュータ４０からの指示により第１チャンネル用と（ｃｈ１）と第２チャンネル用（ｃｈ２）に切り換え可能なＳＡＷフィルタ（表面波フィルタ）を採用することにより、希望するフィルター特性を得ることができ、全国あらゆる地区において使用可能となる。
【００３６】
又、Ｄ端子３４或いはコンポジット出力端子５１を設けているため、これら端子を録画装置に接続することにより、デジタル放送を録画することができる。またデジタル放送の録画中であっても、従来のアナログ放送チャンネルを見ることにとくに支障はない。
【００３７】
なお、図１の回路において、アナログチューナ２１、アナログ復調回路２２、ディスプレイ装置４２及びスピーカ４３から成る回路部分はアナログテレビ受信機７０を構成するものであり、それ以外、つまりチューナ２１よりも前段部の回路をセットトップボックスとして構成すれば、チューナ２１以降の回路は従前のアナログテレビ受信機をそのまま使用することができる。
【００３８】
【発明の効果】
以上のように本発明のテレビジョン信号受信装置によれば、アナログ放送とデジタル放送が混在する地上波放送を受信する場合、アナログチューナでチャンネルを切り換えるだけで地上波デジタル放送と地上波アナログ放送を受信することができ、操作性が向上する。
【図面の簡単な説明】
【図１】本発明のテレビジョン信号受信装置の一実施形態を示すブロック図。
【図２】本発明の動作を説明するために供する放送波配列を示す信号波形図。
【図３】本発明の動作を説明するための信号波形図。
【図４】本発明のテレビジョン信号受信装置に使用するＲＦ変調回路の出力波形を示す波形図。
【図５】本発明のテレビジョン信号受信装置に使用する側波帯除去フィルターの特性を示す特性図。
【図６】側波帯除去フィルターの出力を示す波形図。
【図７】本発明のテレビジョン信号受信装置に使用するＲＦ変調回路及び側波帯除去フィルターの他の実施例を説明するためのブロック図。
【符号の説明】
１１…アンテナ
１２…入力端子
１３…分配器
２０…アナログ放送受信部
２１…アナログチューナ
２２…アナログ復調回路
３０…デジタル放送受信部
３１…デジタルチューナ
３２…フロントエンド部
３３…ＭＰＥＧデコーダ
４０…マイクロコンピュータ
４１…リモコン
４２…ディスプレイ
４３…スピーカ
５０…ＮＴＳＣエンコーダ
６０…チャンネル変換部
６１…ＲＦ変調回路
６２…側波帯除去フィルター
６３…ミキサ
【図１】
2004032231.tif 000003
【図２】
2004032231.tif 000004
【図３】
2004032231.tif 000005
【図４】
2004032231.tif 000006
【図５】
2004032231.tif 000007
【図６】
2004032231.tif 000008
【図７】
2004032231.tif 000009